(57)【特許請求の範囲】
【請求項１】
貯金品目を受け入れるためのホッパ手段と、
前記ホッパ手段に受け入れられた貯金品目を撮影しその映像に基づいて当該貯金品目が銀行券か小切手かを判断し、前記品目を銀行券からなる第１のグループと小切手からなる第２のグループに分類する映像化分類装置と、
前記第１のグループに分類された預金品目を一次的に保持する第１の収納装置と、
前記第２のグループに分類された貯金品目を一次的に保持する第２の収容装置と、
前記第１の収納装置又は前記第２の収納装置内に一次的に保持された前記預金品目の数を表示するレシートを発行するためのプリンタと、
前記貯金品目の銀行券の額面及び品質をチェックし、前記貯金品目の小切手に印刷された情報を読み取って裏書きを行う手段と、
を備えた自動金銭受け払い機。
【発明の詳細な説明】
【０００１】
【発明の属する技術分野】
本発明は、自動金銭受け払い機（ＡＴＭ）に関する。
【０００２】
【従来の技術、及び、発明が解決しようとする課題】
現在、自動金銭受け払い機は、銀行の顧客に広く使用されているので、銀行の金銭出納係が受け付ける、銀行券および小切手等のような、銀行業務の品目の種類を自動的に預金するための設備を設けることが望ましい。このような自動預金設備は周知である。この周知の設備は二種類ある設備の一方の設備である。一方の種類の設備においては、顧客は自分が預金したいすべての品目を特殊な封筒に入れ、その封筒を自動金銭受け払い機の指定のスロットに挿入する。基本的には、その封筒に対してレシートが発行される。その後で、封筒の内容は従来の方法で手動で処理される。もう一方の種類の設備は個々の預金の種類の預金を行い、その後で映像化装置によりその内容をチェックする。その後、待っている顧客に詳細なレシートが発行される。しかし、各預金の種類を詳細にチェックするのは時間が掛かるし、その間、他の顧客は自動金銭受け払い機を使用することができない。これでは一定の時間に一台の自動金銭受け払い機を使用することができる顧客の数が少なくなるし、自動金銭受け払い機の効率が下がる。
【０００３】
本発明の一つの目的は、自動金銭受け払い機のところで顧客が費やす時間を少なくし、一方で顧客を引き寄せるサービスを行うことである。
【０００４】
【課題を解決するための手段】
本発明は、貯金品目を受け入れるためのホッパ手段と、前記ホッパ手段に受け入れられた貯金品目を撮影しその映像に基づいて当該貯金品目が銀行券か小切手かを判断し、前記品目を銀行券からなる第１のグループと小切手からなる第２のグループに分類する映像化分類装置と、前記第１のグループに分類された預金品目を一次的に保持する第１の収納装置と、前記第２のグループに分類された貯金品目を一次的に保持する第２の収容装置と、前記第１の収納装置又は前記第２の収納装置内に一次的に保持された前記預金品目の数を表示するレシートを発行するためのプリンタと、前記貯金品目の銀行券の額面及び品質をチェックし、前記貯金品目の小切手に印刷された情報を読み取って裏書きを行う手段と、を備えた自動金銭受け払い機を提供する。
【０００５】
本発明を実行した自動金銭受け払い機の場合には、レシートの発行は詳細なレシートの発行に要する時間と比較すると遥かに速い。それ故、顧客が自動金銭受け払い機を使用する時間が短くなる。一方、顧客は、上記レシートが、その内容が特定されていない、単なる封筒に対するレシートと比較すると、安心できるものであると思うだろう。
【０００６】
好適には、一次的な収容装置の内容を後でチェックするために、もう一台の映像化装置を設置することが好ましい。このもう一台の映像化装置がチェックした預金内容について銀行業務を行うための手段も設けることができる。上記銀行業務は、小切手に裏書きを印刷し、さらに銀行券を額面および品質に従って分類する作業を含む。それ以降のチェックは、好適には、顧客が機械を使用していない時間に行うことが好ましい。
【０００７】
本発明をもっとよく理解してもらうために、添付の図面を参照する。
【０００８】
【発明の実施の形態】
図１は、顧客が銀行券および小切手を預金するための預金受付装置である。預金品目は入力ホッパ２０に入れられる。預金品目はそこから映像化／分類装置２２に送られ、そこで銀行券および小切手は分離され、銀行券は一次的な銀行券収容装置２４へ送られ、小切手は一次的な小切手収容装置２６へ送られる。これら装置２４および２６は、種々の物理的形態をとることができる。その例としては、収容スタック、ベルトまたはドラムのような循環収容装置、一本またはそれ以上の螺旋ベルトを使用する装置などがある。装置２４および２６は、その慣性が低いものが選ばれる、それ故、これら装置は、全体の取引時間を短くするために預金品目をできるだけ速く受領することができる。収容装置は、「後入れ先出し」（ＬＩＦＯ）または「先入れ先出し」（ＦＩＦＯ）により、預金品目を払い出す種類のものであってもよい。
【０００９】
もう一台の映像化装置２８は、収容装置２４内に保持されている銀行券、および小切手収容装置２６内に保持されている小切手を、もっと詳細にチェックするためのものである。銀行券チェックの内容は、銀行券を額面および／または品質に分類することなどである。小切手のチェックは、小切手に印刷された機械で読み取ることができる情報および、手書きの情報がある場合には、その情報を読み取ることなどである。小切手には裏書きして分類することができる。
【００１０】
図１は、銀行券受け取り場所３２へ迅速に銀行券を送るための機構も示している。銀行券の束は、カセット３８、４０、４２、４４、４６および４８に保持される。いくつかのカセットは、ニーズを予測して、必要と思われる場合には、同じまたは異なる額面の銀行券を保持することができる。周知の銀行券取り出し装置（図示せず）は、カセットから銀行券を取り出すためのものである。これらの装置は、真空作動移動可能吸引パッドを含むことができる。三つのリンクしたセクション１、２および３を持つ結合したコンベア・ベルトからなる移送機構は、銀行券を銀行券取り出し装置からその目的地へ運ぶ。従来の自動金銭受け払い機の場合、この目的地は銀行券受け取り場所３２である。しかし、カセットから銀行券を取り出し、移送機構へ運ぶ装置が機械的に複雑であるので、移送の速度が制限され、顧客がイライラするような時間的な遅れが生じる。このような時間的な遅れを少なくするために、二つの追加補助収容装置４および５が設置されている。これら収容装置の構造は、一次的な収容装置２４および２６の構造に似ている。
【００１１】
三つのリンクしたコンベア・ベルト・セクション１、２および３は、種々の機能を持つ。モータ５０により駆動される銀行券取り出し手段（図示せず）により、カセットから取り出された銀行券は、セクション２にロードされる。これら銀行券は、セクション２から銀行券受け取り場所３２、または補助収容装置４および５の適当と思われるほうに送ることができる。銀行券は、また収容装置４または５のどちらかから取り出して、コンベア・ベルトのセクション１に置くこともできる。セクション１から、銀行券は銀行券受け取り場所３２へ送ることができる。
【００１２】
銀行券の額面が映像化装置が判断した通りのものである場合には、コンベア・ベルトの第三のセクション３は作動して、銀行券を、一次的な銀行券収容装置２４から、満杯になっていない場合、補助収容装置４および５に送る。好適には、主収容装置から銀行券を取り出す動作に優先して、この移送を行うことが好ましい。
【００１３】
作動中、顧客は銀行の出納係が処理することができる種類の品目、もっと詳細に説明すると、銀行券および小切手を入力ホッパ２０に預金する。顧客は、磁気ストライプのような適当なコード化媒体により、その上にコード化された個人銀行口座情報が記録されているカードを持っている。カードは、スロット（図示せず）に挿入され、顧客は、またその目的のためのキーボードを使用して、個人識別番号（ＰＩＮ）を入力するように要求される。この手順は、預金された品目を正しい口座に確実に預金するためのものである。その後、預金品目は映像化／分類装置２２でチェックされる。銀行券は銀行券収容装置２４に送られ、小切手は小切手収容装置２６に送られる。その後、二つのタイプの品目の数の記録は印刷され、レシートとして顧客に発行される。この動作は迅速の行われ、そのため、顧客は自分のレシートの発行を長い時間待つ必要がなくなる。
【００１４】
もう一つの収容装置３０も設置されているが、この装置としては、複数のコンパートメントをもつボックスを使用することができる。一つのコンパートメントは、一次的な銀行券収容装置２４が受け取った、再使用する必要のない銀行券、例えば、高額の銀行券を収容するのに使用される。他のコンパートメントは、間違って取り出した銀行券の収容ボックスとして使用される。もう一つの収容装置３０には、コンベア・ベルト・システムのセクション１により銀行券がロードされる。
【図面の簡単な説明】
【図１】本発明を実施した自動金銭受け払い機の主な作動部品の略図である。
【図１】
0004047425.tif 000002